(57)【要約】【課題】            本発明は、メダルがメダル載置体等の固定部材と移動体との間に挟まれないようにしたメダルゲーム機のメダル押出し装置を提供するものである。【解決手段】        プレイヤがメダル８を投入することができる投入口４と、メダルを載置するメダル載置体12と、前記メダル載置体12のメダル載置面上に配置され、移動運動により前記投入口から投入されたメダル８を含む前記メダル載置面上のメダル群を押す移動体13と、前記移動体13の移動運動を行なわせる駆動機構15，16，17，18とを備え、前記移動体13は、その前面にあって前記メダル載置面上のメダルを押す部分に設けられた可動部と、該可動部を前記メダル載置面に押付ける付勢手段とを有している。【選択図】          図２
2005081010.tif 000002
【特許請求の範囲】
【請求項１】
プレイヤがメダルを投入することができる投入口と、
メダルを載置するメダル載置体と、
前記メダル載置体のメダル載置面上に配置され、移動運動により前記投入口から投入されたメダルを含む前記メダル載置面上のメダル群を押す移動体と、
前記移動体の移動運動を行なわせる駆動機構とを備え、
前記移動体は、その前面にあって前記メダル載置面上のメダルを押す部分に設けられた可動部と、
該可動部を前記メダル載置面に押付ける付勢手段とを有することを特徴とするメダルゲーム機のメダル押出し装置。
【請求項２】
前記可動部は、前記移動体の前面に並置された複数個の可動部によって構成され、
前記メダル載置面に押付ける方向に力を加える付勢手段が複数の可動部のそれぞれに対して設けられたことを特徴とする請求項１記載のメダルゲーム機のメダル押出し装置。
【請求項３】
プレイヤがメダルを投入することができる投入口と、
メダルを載置するメダル載置体と、
前記メダル載置体のメダル載置面上に配置され、移動運動により前記投入口から投入されたメダルを含む前記メダル載置面上のメダル群を押す移動体と、
前記移動体の移動運動を行なわせる駆動機構とを備え、
前記移動体は、該移動体の前部に、前記移動体と前記メダル載置面との間の隙間を遮蔽するように並置された複数の可動部と、
該複数の可動部を前記メダル載置面にそれぞれ押付ける方向に力を加える付勢手段とを有することを特徴とするメダルゲーム機のメダル押出し装置。
【請求項４】
前記付勢手段が弾性部材によって構成されたことを特徴とする請求項１ないし３いずれか記載のメダルゲーム機のメダル押出し装置。
【請求項５】
前記駆動機構は、前記移動体を前後方向に往復させる往復機構を備え、
前記移動体の後退運動時に前記移動体の上面に置かれたメダル群の移動を制限し、これによって前記移動体の前部方向に押され前部からはみ出したメダルが前記メダル載置面に落下するように配置された壁部をさらに有し、
前記壁部は、メダルの移動を制限する部分に設けられた可動部と、
該可動部を前記移動体上面に押付ける方向に力を加える付勢手段とを有することを特徴とする請求項１ないし４いずれか記載のメダルゲーム機のメダル押出し装置。
【請求項６】
前記壁部の可動部は並置された複数の可動部によって構成され、前記移動体上面に押し付ける方向に力を加える付勢手段が複数の壁部可動部に対しそれぞれ設けられたことを特徴とする請求項５記載のメダルゲーム機のメダル押出し装置。
【請求項７】
プレイヤがメダルを投入することができる投入口と、
メダルを載置するメダル載置体と、
前記メダル載置体のメダル載置面上に配置され、往復運動により前記投入口から投入されたメダルを含む前記メダル載置面上のメダル群を押す移動体と、
前記移動体の往復運動を行なわせる駆動機構と、
前記移動体を往復方向へ移動可能に支持する移動体支持部材と、
前記移動体の両側部に隣接して前記移動体支持部材に設けられた前後往復案内部材と、
前記前後往復案内部材の両側部にそれぞれ上下へ昇降自在に設けられ、前記移動体上面の左右部分に掩蔽部材の下端面が当接しうる左右１対の掩蔽部材とを備えたことを特徴とするメダルゲーム機のメダル押出し装置。
【請求項８】
前記移動体の両側面部に移動減摩手段が設けられ、
前記移動体支持部材は、水平基板であって、
前記前後往復案内部材は、前記移動体の移動減摩手段に接触する左右１対の案内壁部と、該案内壁部上方に位置して該案内壁部より前記移動体巾方向中央に向ってそれぞれせり出した左右１対のせり出し壁部とよりなり、
前記左右１対の掩蔽部材は、前記前後往復案内部材の左右１対のせり出し壁部に上下へ昇降自在に設けられたことを特徴とする請求項７記載のメダルゲーム機のメダル押出し装置。
【発明の詳細な説明】
【技術分野】
【０００１】
メダル載置体のメダル載置面上のメダル群を、このメダル載置面上を移動する移動体でもって円滑にかつ確実に押し出することができるメダルゲーム機のメダル押出し装置に関するものである。
【背景技術】
【０００２】
図１８に図示されるように、メダル載置体であるフィールドプレート01上に、移動体であるメダルプッシャ02が駆動機構03によって前後に摺動し、フィールドプレート01上のメダル04を手前側に押出すメダルゲーム機があった。
【０００３】
このメダルゲーム機では、メダルプッシャ02の下面がフィールドプレート01の上面から浮上がらないように、カバー05から垂下した垂下片06に押え金具07が取付けられていた。
【０００４】
しかし、図１８に図示のメダルゲーム機では、長期間に亘り連続してメダルプッシャ02がフィールドプレート01上を摺動すると、メダルプッシャ02の上下面が磨耗するとともに、フィールドプレート01の上面も磨耗し、メダルプッシャ02の先端下面とフィールドプレート01の上面とに隙間が発生し、この隙間にメダル04が挟込まれて、メダルプッシャ02が前後に摺動できなくなることがあった。
【０００５】
【特許文献１】特開平８−１９６６１号公報
【発明の開示】
【発明が解決しようとする課題】
【０００６】
本発明は、メダルがメダル載置体等の固定部材と移動体との間に挟まれないようにしたメダルゲーム機のメダル押出し装置を提供するものである。
【課題を解決するための手段】
【０００７】
請求項１記載の発明は、プレイヤがメダルを投入することができる投入口と、メダルを載置するメダル載置体と、前記メダル載置体のメダル載置面上に配置され、移動運動により前記投入口から投入されたメダルを含む前記メダル載置面上のメダル群を押す移動体と、前記移動体の移動運動を行なわせる駆動機構とを備え、前記移動体は、その前面にあって前記メダル載置面上のメダルを押す部分に設けられた可動部と、該可動部を前記メダル載置面に押付ける付勢手段とを有することを特徴とするメダルゲーム機のメダル押出し装置である。
【０００８】
請求項２記載の発明は、前記可動部は、前記移動体の前面に並置された複数個の可動部によって構成され、前記メダル載置面に押付ける方向に力を加える付勢手段が複数の可動部のそれぞれに対して設けられたことを特徴とする請求項１記載のメダルゲーム機のメダル押出し装置である。
【０００９】
請求項３記載の発明は、プレイヤがメダルを投入することができる投入口と、メダルを載置するメダル載置体と、前記メダル載置体のメダル載置面上に配置され、移動運動により前記投入口から投入されたメダルを含む前記メダル載置面上のメダル群を押す移動体と、前記移動体の移動運動を行なわせる駆動機構とを備え、前記移動体は、該移動体の前部に、前記移動体と前記メダル載置面との間の隙間を遮蔽するように並置された複数の可動部と、該複数の可動部を前記メダル載置面にそれぞれ押付ける方向に力を加える付勢手段とを有することを特徴とするメダルゲーム機のメダル押出し装置である。
【００１０】
請求項４記載の発明は、前記付勢手段が弾性部材によって構成されたことを特徴とする請求項１ないし３いずれか記載のメダルゲーム機のメダル押出し装置である。
【００１１】
請求項５記載の発明は、前記駆動機構は、前記移動体を前後方向に往復させる往復機構を備え、前記移動体の後退運動時に前記移動体の上面に置かれたメダル群の移動を制限し、これによって前記移動体の前部方向に押され前部からはみ出したメダルが前記メダル載置面に落下するように配置された壁部をさらに有し、前記壁部は、メダルの移動を制限する部分に設けられた可動部と、該可動部を前記移動体上面に押付ける方向に力を加える付勢手段とを有することを特徴とする請求項１ないし４いずれか記載のメダルゲーム機のメダル押出し装置である。
【００１２】
請求項６記載の発明は、前記壁部の可動部は並置された複数の可動部によって構成され、前記移動体上面に押し付ける方向に力を加える付勢手段が複数の壁部可動部に対しそれぞれ設けられたことを特徴とする請求項５記載のメダルゲーム機のメダル押出し装置である。
【００１３】
請求項７記載の発明は、プレイヤがメダルを投入することができる投入口と、メダルを載置するメダル載置体と、前記メダル載置体のメダル載置面上に配置され、往復運動により前記投入口から投入されたメダルを含む前記メダル載置面上のメダル群を押す移動体と、前記移動体の往復運動を行なわせる駆動機構と、前記移動体を往復方向へ移動可能に支持する移動体支持部材と、前記移動体の両側部に隣接して前記移動体支持部材に設けられた前後往復案内部材と、前記前後往復案内部材の両側部にそれぞれ上下へ昇降自在に設けられ、前記移動体上面の左右部分に掩蔽部材の下端面が当接しうる左右１対の掩蔽部材とを備えたことを特徴とするメダルゲーム機のメダル押出し装置である。
【００１４】
請求項８記載の発明は、前記移動体の両側面部に移動減摩手段が設けられ、前記移動体支持部材は、水平基板であって、前記前後往復案内部材は、前記移動体の移動減摩手段に接触する左右１対の案内壁部と、該案内壁部上方に位置して該案内壁部より前記移動体巾方向中央に向ってそれぞれせり出した左右１対のせり出し壁部とよりなり、前記左右１対の掩蔽部材は、前記前後往復案内部材の左右１対のせり出し壁部に上下へ昇降自在に設けられたことを特徴とする請求項７記載のメダルゲーム機のメダル押出し装置である。
【発明の効果】
【００１５】
請求項１記載の発明においては、メダル載置体のメダル載置面上を移動する移動体の前面において、該メダル載置面上のメダルを押す部分に可動部が設けられるとともに、該可動部を前記メダル載置面に押付ける付勢手段が設けられているため、前記移動体が前記メダル載置面上を長期間に亘って移動して、該移動体と前記メダル載置材とが著しく磨耗しても、前記移動体の可動部が前記付勢手段によって常に押付けられ、該可動部はメダル載置面に隙間なく接触した状態を保持できる結果、メダルが前記移動体の可動部とメダル載置体とに挟込まれることが未然に阻止されて、前記移動体が停止される惧れが全くない。
【００１６】
請求項２記載の発明においては、可動部が複数の可動部によって構成され、しかも、付勢手段が前記複数の可動部にそれぞれ設けられているため、前記メダル載置面が既に弯曲し、または長期間の稼動で局部的に磨耗しても、この曲面に対し前記複数の可動部がそれぞれ隙間なく密接できる結果、メダルがメダル載置体と移動体の可動部とに挟まれることが確実に回避される。
また、具体的に説明すると、メダルゲーム機を長期に亘り使用した状態では、メダル載置体が板の場合、メダル載置板上のメダルの自重や落下衝撃等により、この載置板が所所不規則に窪み、移動体と載置体との間にメダルが挟まれるようなことがあるが、請求項２記載のように可動体を複数個に分割し、かつ付勢手段でこの分割可動体をメダル載置面に押付けることにより、分割可動体の下端とメダル載置面との隙間を埋めることができる。
【００１７】
請求項３記載の発明においては、移動体の前部に、前記移動体と前記メダル載置面との間の隙間を遮蔽するように並置された複数の可動部と、該複数の可動部を前記メダル載置面にそれぞれ押付ける方向に力を加える付勢手段とが設けられているため、たとえ前記移動体と前記メダル載置面との間にメダルが挟まれるような隙間があっても、前記付勢手段によって前記複数の可動部が前記メダル載置面に密接して、前記隙間が遮蔽される結果、メダルの挟込みが未然に阻止される。
【００１８】
請求項４記載の発明においては、前記付勢手段が弾性部材によって構成されるため、動作が確実であり、しかも構造が単純化されてコストダウンが可能である。
【００１９】
請求項５記載の発明においては、前記移動体の後退運動時に前記移動体の上面に置かれたメダル群の移動を制限し、これによって前記移動体の前部方向に押され前部からはみ出したメダルが前記メダル載置面に落下するように配置された壁部をさらに有し、前記壁部は、メダルの移動を制限する部分に設けられた可動部と、該可動部を前記移動体上面に押付ける方向に力を加える付勢手段とを有しているため、メダル載置体のメダル載置面上のメダルのみならず、移動体の上面のメダル群をも押出して前記メダル載置面上に落下させることができ、しかも、メダルの移動を制限する部分の可動部を前記付勢手段でもって前記移動体上面に押付けることによって、前記可動部と該移動体上面とにメダルが挟まれることを未然に阻止することができる。
【００２０】
請求項６記載の発明おいては、前記壁部の可動部は並置された複数の可動部によって構成され、前記移動体上面に押し付ける方向に力を加える付勢手段が複数の壁部可動部に対しそれぞれ設けられているため、前記移動体上面が既に弯曲し、または長期間の稼動で局部的に磨耗しても、この曲面に対し複数の可動部がそれぞれ隙間なく密接できる結果、前記移動体と前記壁部の可動部とにメダルが挟まれることを確実に回避できる。
【００２１】
請求項７記載の発明においては、前記移動体を往復方向へ移動可能に支持する移動体支持部材と、前記移動体の両側部に隣接して前記移動体支持部材に設けられた前後往復案内部材と、前記前後往復案内部材の両側部にそれぞれ上下へ昇降自在に設けられ、前記移動体上面の左右部分に掩蔽部材の下端面が当接しうる左右１対の掩蔽部材とを備えているため、前記前後往復案内部材の案内面が弯曲しまたは長期間の稼動で局部的に磨耗して、前記移動体が前記前後往復案内部材に対し離れるようなことがあっても、前記掩蔽部材の下端面が前記移動体上面の左右部分に常に密接することができて、メダルが前記移動体と前後案内部材とに挟まれることが未然に阻止される。
【００２２】
請求項８記載の発明においては、前記移動体の両側面部に移動減摩手段が設けられ、前記移動体支持部材は、水平基板であって、前記前後往復案内部材は、前記移動体の移動減摩手段に接触する左右１対の案内壁部と、該案内壁部上方に位置して該案内壁部より前記移動体巾方向中央に向ってそれぞれせり出した左右１対のせり出し壁部とよりなり、前記左右１対の掩蔽部材は、前記前後往復案内部材の左右１対のせり出し壁部に上下へ昇降自在に設けられているため、前記移動体は前記移動減摩手段によって無理なく前後に往復でき、また前記移動体が前記移動体支持部材に対し左右にずれることがあっても、前記掩蔽部材は前記移動体の上面両側部に常に密接でき、前記移動体と前後往復案内部材とにメダルが挟まれることを確実に防止できる。
【発明を実施するための最良の形態】
【００２３】
以下、図１ないし図１７に図示された本発明の最良の形態について説明する。
【００２４】
平面形状が６角形のメダルゲーム機１は、６角形の中心と各頂角とを結ぶ面で６個に分割されたサテライトゲームユニット２よりなり、各サテライトゲームユニット２毎にプレイヤがそれぞれプレイを行なうことができるようになっている。
【００２５】
各サテライトゲームユニット２では、図２に図示されるように、正面手前側のガラス板３の上部にメダル投入口４が設けられ、ガラス板３で仕切られたゲーム空間５の奥側に、２枚の背板６、透明板７が、鉛直方向に指向してメダル８が通過しうる間隔を存して立設され、メダル投入口４より、この背板６および透明板７に挟まれたメダル通路９の頂端に向ってメダルガイド10が設けられ、この背板６の前面には、パチンコの釘のように多数の釘（図示されず）が配設され、透明板７の下部にはメダルセンサ11が設けられ、ゲーム空間５の底部には、メダル載置体12が水平に張設され、その上に移動体13が載置されており、プレイヤがメダル投入口４よりメダル８を投入すると、メダル投入口４はメダルガイド10を通過してメダル通路９内に入り、途中の釘によって経路を変えながらメダル通路９内を落下し、メダルセンサ11の近くをメダル８が通過すると、所定枚数のメダル８が、メダル載置体12または移動体13上に払出されるようになっている。
【００２６】
また、移動体13には、連結杆14の先端が枢着され、駆動モータ15の回転軸16が鉛直方向に直立した状態で駆動モータ15がサテライトゲームユニット２の本体に据付けられ、回転軸16の上端に一体に装着されたクランク17の先端に連結杆14の後端が回転可能に枢着されており、駆動モータ15が稼動状態となってクランク17が回転軸16を中心として回転駆動されると、移動体13は前後に往復動されるようになっている。
【００２７】
メダル載置体12は、図６ないし図８に図示されるようなベース支持部材18と、ベース支持部材18の天板19に一体に重ねられたベース25（図３、図４参照）と、ベース25の左右両側部に一体に装着された図９ないし図１１に図示のサイドガイド26と、サイドガイド26のメダルガイド部32の内側面部より突出した掩蔽部材保持突片35に遊嵌された自己潤滑性に富んだ樹脂製掩蔽部材43（図５参照）と、該掩蔽部材43を掩蔽部材保持突片35から外れないように押える押さえ板44（図５参照）よりなり、前記ベース支持部材18では、鋼板製の天板19の両側部が下方へ直角に折曲されて側板20が形成され、この側板20の下部が外方へ直角に折曲されて折曲水平片21が形成され、側板20の折曲部に隣接した天板19の両側部が上方へ打抜かれて立上り片22が形成され、天板19の前部が下方へ直角に折曲されて垂下板23が形成され、この垂下板23の下部が前方へ直角に折曲されて折返し水平片24が形成されている。
なお、ベース25は請求項７および請求項８における移動体支持部材に該当し、サイドガイド26は前後往復案内部材に該当している。
【００２８】
また、サイドガイド26は、図９ないし図１１に図示されるガイド板27と、図１２ないし図１４に図示される補強板36とよりなり、ガイド板27は、底板部28と、底板部28の外端部にて上方へ起立した折返し補強片29と、底板部28の内側部から上方へ起立した移動体ガイド部30と、移動体ガイド部30の上部から内方へ直角に折曲された段部31と、段部31の内側部から上方へ起立したメダルガイド部32と、メダルガイド部32の上部から外方へ直角に折曲された折返し頂板部33と、メダルガイド部32の前部から直角に内方へ折曲された前端補強片34と、メダルガイド部32の略中央部が内方へ打抜かれて形成された掩蔽部材保持突片35からなっている。
【００２９】
さらに補強板36は、図１２に図示の形状の本体部37と、本体部37の底部と頂部とより内方へそれぞれ直角に折曲された底片部38および頂片部39と、本体部37の内側下部と上部とより内方へそれぞれ直角に折曲されたガイド板保持片40、41と、本体部37の外側下部から内方へ直角に折曲された折返し片42とよりなっており、補強板36のガイド板保持片40、41が、ガイド板27の移動体ガイド部30およびメダルガイド部32にそれぞれ接着剤または溶接等で一体に接合されている。
【００３０】
さらにまた、図５に図示された略アングル状の押え板44は、その頂部45がガイド板27の折返し頂板部33に重ねられて、両者を貫通するネジ等で一体に固着され、押え板44の前端部には外方へ直角に折曲された阻止部46が形成されている。
【００３１】
そして、メダル載置体12のベース25の先端には、図３に図示されるように、メダル載置板47が前方に向って水平に延長して張設されている。
【００３２】
メダル載置体12のベース25上を前後に往復移動する移動体13は、図１５に図示されるように構成されている。
【００３３】
すなわち、移動体13は、移動体ベース50と、移動体ベース50の上面に一体に重ねられて装着されるメダル支持プレート57と、このメダル支持プレート57の上面前端部に一体に装着される先端エッジ部材58とよりなり、移動体ベース50では、左右両側部で下方へ直角に折曲された側板部51の前部片51ａと後部片51ｂの後部の下方に支持ローラ52が左右水平軸を中心として回転自在に枢着されるとともに、側板部51の後部片51ｂの前部上方に押えローラ53が左右水平軸を中心として回転自在に枢着され、側板部51の前部片51ａと後部片51ａの間に位置し、外方へ直角に折曲された前水平部片51ｃと、後部片51ｂの後方に位置し、外方へ直角に折曲された後水平部片51ｄとにガイドローラ54がそれぞれ鉛直軸を中心として回転自在に枢着され、側板部51の前方中央部に連結杆枢着ブロック55が一体に装着され、前記連結杆14の先端が連結杆枢着ブロック55に枢着されている。
【００３４】
また、移動体ベース50の先端部にて下方へ直角に折曲された先端板部56には、図５に図示されるように、取付け孔59が設けられ、この取付け孔59に図１６、図１７に図示される左右１対の取付け板60の孔61が合わせられ、この取付け孔59、61を貫通して螺着される図示されないネジでもって、取付け板60が先端板部56に装着され、この取付け板60の頂部には、下部３個所にガイド突起62ａを備えた間隔保持部材62が図示されないネジによって装着され、取付け板60には、ガイド突起62ａの中間２個所と外側ガイド突起62ａの外側２個所とに、それぞれ３個斜めに並んだストッパ孔63がそれぞれ形成され、保持部材64の底面に図示されない２個の突起が形成され、保持部材64の突起が３個のストッパ孔63の内の両端の孔63ａに嵌合されて固定され、保持部材64の凹部中央の孔65と、３個のストッパ孔63の内の中央の孔63ｂとを貫通して螺着される図示されないネジによって、保持部材64は取付け板60に確固と固定されている。
【００３５】
さらに、可動片66には、中央にそれぞれ矩形孔67が形成され、この矩形孔67に保持部材64の本体部分が遊嵌され、この可動片66の頂部２個所に盲孔68がそれぞれ形成されるとともに、間隔保持部材62の下面にも盲孔68と対応した個所に図示されない盲孔が形成され、この可動片66の盲孔68と間隔保持部材62の盲孔とにコイルスプリング69が遊嵌されており、このコイルスプリング69がバネ力により、可動片66は常に下方へ付勢されている。
【００３６】
さらにまた、間隔保持部材62の手前側面にエッジ体48の本体部48ａが当てがわれ、間隔保持部材62を移動体ベース50の先端板部56に図示されないネジで螺着する際に、このネジがエッジ体48の本体部48ａの孔（図示されず）を貫通して、エッジ体48は、取付け板60および間隔保持部材62と共に移動体ベース50と先端板部56に共締めされ、エッジ体48の先端部48ｂは、移動体ベース50の先端板部56の上端縁から手前側上方へ傾斜している。
【００３７】
また、図２に図示されるように、背板６の下端には、移動体13のメダル支持プレート57の上面に接触しうる壁部70が前後に移動しないように取付けられており、移動体13が後退したときに、移動体13上のメダル８は壁部70に当接して前方へ押出されるようになっている。
【００３８】
図１ないし図１７に図示の形態は、前述したように構成されているので、プレイヤがメダル投入口４からメダル８を投入すると、メダルガイド10を経由してメダル通路９内を落下し、移動体13のメダル支持プレート57上に載置されると、移動体13の前後往復動によって、メダル支持プレート57上のメダル８が順次前方へ押出され、移動体13の先端エッジ部材58からメダル載置体12のメダル載置板47上に落下し、さらにメダル載置板47上の多数のメダル８は少しづつ前方へ押出されて、メダル載置体12のエッジ体48から落下して払出しシュート49を経由して払出し口49ａに払出される。
【００３９】
移動体13が駆動モータ15によって前後に往復駆動される場合に、移動体13は支持ローラ52によって抵抗少なく前後に駆動されるとともに、サイドガイド26の移動体ガイド部30に接して転がる支持ローラ52によって左右へずれることもなく前後に進退でき、しかも、サイドガイド26の段部31に接して転がる押えローラ53によって上方へ浮上がることもなく、安定して往復できる。
【００４０】
また、掩蔽部材43が掩蔽部材保持突片35、ガイド板27および押え板44でもって前後左右に安定して保持され、移動体ベース50のメダル支持プレート57上に常時接触できるため、サイドガイド26のガイド板27と移動体ベース50のメダル支持プレート57の側縁との間にメダル８が進入して挟まれることが全くない。
【００４１】
さらに、可動片66が左右方向に多数分岐して移動体ベース50のメダル支持プレート57に上下に昇降自在に取付けられるとともに、コイルスプリング69によって常時下方へ付勢されているので、可動片66の下端面やベース25の上面の磨耗や、支持ローラ52の外周面の磨耗とは全く無関係に、可動片66の下端面がベース25にどのような状態でも隙間なく当接しているので、メダル８がベース25と可動片66や、ベース25と先端板部56とに挟まれることが未然に阻止される。
【００４２】
さらにまた、可動片66に矩形孔67が形成され、この矩形孔67に横断面が矩形の保持部材64が嵌合されているため、保持部材64は安定して上下に昇降することができる。
【００４３】
しかも、保持部材64には、折返し部64ａが形成されているため、バネ69のバネ力が左右いずれかの個所にずれて作用しても、左右に傾かずに保持部材64の長手方向が安定して左右水平方向へ保持される。
【産業上の利用可能性】
【００４４】
本発明では、メダル載置体であるベース25に対する可動部である可動片66の摩擦抵抗を減少させるために、可動片66を自己潤滑性に富んだ樹脂で構成したが、可動片66の下面を先端側が低く後端側が高くなった鉋の刃のように傾斜面に形成し、あるいは、正面から見て可動片66の下縁を波状に形成してもよい。
また、可動片66を横方向に１列に配列せずに、平面配列状態で千鳥状に配列してもよい。
さらに、可動片66相互間の配列間隙は、狭くなくても、メダル８の直径よりも小さな間隙でもよい。
【図面の簡単な説明】
【００４５】
【図１】本発明のメダル押出し装置を備えたメダルゲーム機の正面図である。
【図２】図１の縦断側面図である。
【図３】図１の一部を欠裁した要部斜視図である。
【図４】メダル載置体の全体斜視図である。
【図５】図４の正面図である。
【図６】メダル載置体のベース支持部材の平面図である。
【図７】図６の正面図である。
【図８】図７の側面図である。
【図９】ガイド板の側面図である。
【図１０】図９の平面図である。
【図１１】図９の正面図である。
【図１２】補強板の側面図である。
【図１３】図１２の正面図である。
【図１４】図１２の平面図である。
【図１５】移動体を斜下方から見た斜視図である。
【図１６】取付け板に可動片を取付けた状態の斜視図である。
【図１７】図１６の分解斜視図である。
【図１８】従来のメダル押出し装置の縦断側面図である。
【符号の説明】
【００４６】
１…メダルゲーム機、２…サテライトゲームユニット、３…ガラス板、４…メダル投入口、５…ゲーム空間、６…背板、７…透明板、８…メダル、９…メダル通路、10…メダルガイド、11…メダルセンサ、12…メダル載置体、13…移動体、14…連結杆、15…駆動モータ、16…回転軸、17…クランク、18…ベース支持部材、19…天板、20…側板、21…折曲水平片、22…立上り片、23…垂下板、24…折返し水平片、25…ベース、26…サイドガイド、27…ガイド板、28…底板部、29…折返し補強片、30…移動体ガイド部、31…段部、32…メダルガイド部、33…折返し頂板部、34…前端補強片、35…掩蔽部材保持突片、36…補強板、37…本体部、38…底片部、39…頂片部、40…ガイド板保持片、41…ガイド板保持片、42…折返し片、43…掩蔽部材、44…押え板、45…頂部、46…阻止部、47…メダル載置板、48…エッジ体、49…払出しシュート、50…移動体ベース、51…側板部、52…支持ローラ、53…押えローラ、54…ガイドローラ、55…連結杆枢着ブロック、56…先端板部、57…メダル支持プレート、58…先端エッジ部材、59…取付け孔、60…取付け板、61…孔、62…間隔保持部材、63…ストッパ孔、64…保持部材、65…孔、66…可動片、67…矩形孔、68…盲孔、69…コイルスプリング、70…壁部。
【図１】
2005081010.tif 000003
【図２】
2005081010.tif 000004
【図３】
2005081010.tif 000005
【図４】
2005081010.tif 000006
【図５】
2005081010.tif 000007
【図６】
2005081010.tif 000008
【図７】
2005081010.tif 000009
【図８】
2005081010.tif 000010
【図９】
2005081010.tif 000011
【図１０】
2005081010.tif 000012
【図１１】
2005081010.tif 000013
【図１２】
2005081010.tif 000014
【図１３】
2005081010.tif 000015
【図１４】
2005081010.tif 000016
【図１５】
2005081010.tif 000017
【図１６】
2005081010.tif 000018
【図１７】
2005081010.tif 000019
【図１８】
2005081010.tif 000020